(57)【要約】【課題】複数の農業マップデータを活用して農業支援を簡単に行うことができる。【解決手段】農業支援システムは、農業に関する複数の農業マップデータを取得するデータ取得部と、データ取得部で取得した複数の農業マップデータのうち、複数の任意の農業マップデータの選択を受け付けるデータ選択部と、データ選択部で受け付けた複数の任意の農業マップデータの相関を演算する相関演算部と、相関演算部で求めた相関を表示する表示部と、  を備えている。【選択図】図１
2019109791.tif 000002
【特許請求の範囲】
【請求項１】
農業に関する複数の農業マップデータを取得するデータ取得部と、
前記データ取得部で取得した複数の農業マップデータのうち、複数の任意の農業マップデータの選択を受け付けるデータ選択部と、
前記データ選択部で受け付けた前記複数の任意の農業マップデータの相関を演算する相関演算部と、
前記相関演算部で求めた相関を表示する表示部と、
を備えている農業支援システム。
【請求項２】
前記表示部は、複数の農業マップデータを可視化した複数の農業マップを表示し、
前記データ選択部は、前記表示部に表示された複数の農業マップの中から、選択された農業マップを受け付ける請求項１に記載の農業支援システム。
【請求項３】
前記相関と、前記相関を演算するのに用いた複数の農業マップデータの種別とを関連付けて記憶する記憶部を備え、
前記表示部は、前記記憶部に記憶された相関と、前記相関に関連付けられた複数の農業マップデータの種別とを表示する請求項１又は２に記載の農業支援システム。
【請求項４】
前記表示部は、前記相関を求めるのに用いた複数の農業マップデータうち、前記相関が閾値以上となった農業マップデータの種別の組み合わせを表示する請求項１又は２に記載の農業支援システム。
【請求項５】
前記表示部は、前記相関を求めるのに用いた複数の農業マップデータに対応する農業マップと、前記相関とを対応付けて表示する請求項１又は２に記載の農業支援システム。
【請求項６】
前記相関が閾値以上となった複数の農業マップデータを記憶する記憶部を備え、
前記表示部は、前記記憶部に記憶された複数の農業マップデータを可視化した複数の農業マップを表示する請求項１又は２に記載の農業支援システム。
【請求項７】
前記相関演算部は、前記相関を可視化した相関マップを作成し、
前記表示部は、前記相関演算部が作成した相関マップを表示する請求項１〜６に記載の農業支援システム。
【請求項８】
前記相関演算部は、前記相関マップで示された相関データを前記農業マップデータに設定することで、新たな農業マップデータを作成する請求項１〜７のいずれかに記載の農業支援システム。
【請求項９】
農業に関する複数の農業マップデータを取得するデータ取得部と、
前記データ取得部で取得した複数の農業マップデータのうち、複数の任意の農業マップデータの選択を受け付けるデータ選択部と、
前記データ選択部で受け付けた前記複数の任意の農業マップデータの相関を演算する相関演算部と、
前記相関演算部で求めた相関を表示する表示制御部と、
を備えている農業支援装置。
【請求項１０】
前記表示部は、複数の農業マップデータを可視化した複数の農業マップを表示し、
前記データ選択部は、前記表示部に表示された複数の農業マップの中から、選択された農業マップを受け付ける請求項９に記載の農業支援装置。
【請求項１１】
前記相関と、前記相関を演算するのに用いた複数の農業マップデータの種別とを関連付けて記憶する記憶部を備え、
前記表示部は、前記記憶部に記憶された相関と、前記相関に関連付けられた複数の農業マップデータの種別とを表示する請求項９又は１０に記載の農業支援装置。
【請求項１２】
前記表示部は、前記相関を求めるのに用いた複数の農業マップデータうち、前記相関が閾値以上となった農業マップデータの種別の組み合わせを表示する請求項９又は１０に記載の農業支援装置。
【請求項１３】
前記表示部は、前記相関を求めるのに用いた複数の農業マップデータに対応する農業マップと、前記相関とを対応付けて表示する請求項９又は１０に記載の農業支援装置。
【請求項１４】
前記相関が閾値以上となった複数の農業マップデータを記憶する記憶部を備え、
前記表示部は、前記記憶部に記憶された複数の農業マップデータを可視化した複数の農業マップを表示する請求項９又は１０に記載の農業支援装置。
【請求項１５】
前記相関演算部は、前記相関を可視化した相関マップを作成し、
前記表示部は、前記相関演算部が作成した相関マップを表示する請求項９〜１４に記載の農業支援装置。
【請求項１６】
前記相関演算部は、前記相関マップで示された相関データを前記農業マップデータに設定することで、新たな農業マップデータを作成する請求項９〜１５のいずれかに記載の農業支援装置。
【発明の詳細な説明】
【技術分野】
【０００１】
本発明は、農業支援システム及び農業支援装置に関する。
【背景技術】
【０００２】
従来、圃場の地図等に様々な情報をプロットすることで圃場地図データを作成する技術として特許文献１が知られている。
特許文献１の圃場管理システムは、圃場地図データを記録する圃場地図レイヤを有する地図データ記録部と、各種の農作業機により圃場に対して実行される作業毎に生成された圃場作業データを記録する機種別圃場作業レイヤを有する圃場作業データ記録部とを備えている。
【先行技術文献】
【特許文献】
【０００３】
【特許文献１】特開２０１７−６８５３３号公報
【発明の概要】
【発明が解決しようとする課題】
【０００４】
さて、近年、特許文献１に示すように、農業に関する複数の圃場地図データを用いて農業支援を行う試みが進められている。しかしながら、複数の圃場地図データが存在していたとしても、当該複数の圃場地図データの活用が十分に進められていないのが実情である。
そこで、本発明は上記問題点に鑑み、複数の農業マップデータを活用して農業支援を簡単に行うことができる農業支援システム及び農業支援装置を提供することを目的とする。
【課題を解決するための手段】
【０００５】
この技術的課題を解決するための本発明の技術的手段は、以下に示す点を特徴とする。
農業支援システムは、農業に関する複数の農業マップデータを取得するデータ取得部と、前記データ取得部で取得した複数の農業マップデータのうち、複数の任意の農業マップデータの選択を受け付けるデータ選択部と、前記データ選択部で受け付けた前記複数の任意の農業マップデータの相関を演算する相関演算部と、前記相関演算部で求めた相関を表示する表示部と、を備えている。
【０００６】
前記表示部は、複数の農業マップデータを可視化した複数の農業マップを表示し、前記データ選択部は、前記表示部に表示された複数の農業マップの中から、選択された農業マップを受け付ける。
前記相関と、前記相関を演算するのに用いた複数の農業マップデータの種別とを関連付けて記憶する記憶部を備え、前記表示部は、前記記憶部に記憶された相関と、前記相関に関連付けられた複数の農業マップデータの種別とを表示する。
【０００７】
前記表示部は、前記相関を求めるのに用いた複数の農業マップデータうち、前記相関が閾値以上となった農業マップデータの種別の組み合わせを表示する。
前記表示部は、前記相関を求めるのに用いた複数の農業マップデータに対応する農業マップと、前記相関とを対応付けて表示する。
前記相関が閾値以上となった複数の農業マップデータを記憶する記憶部を備え、前記表示部は、前記記憶部に記憶された複数の農業マップデータを可視化した複数の農業マップを表示する。
【０００８】
前記相関演算部は、前記相関を可視化した相関マップを作成し、前記表示部は、前記相関演算部が作成した相関マップを表示する。
前記相関演算部は、前記相関マップで示された相関データを前記農業マップデータに設定することで、新たな農業マップデータを作成する。
農業支援装置は、農業に関する複数の農業マップデータを取得するデータ取得部と、前記データ取得部で取得した複数の農業マップデータのうち、複数の任意の農業マップデータの選択を受け付けるデータ選択部と、前記データ選択部で受け付けた前記複数の任意の農業マップデータの相関を演算する相関演算部と、前記相関演算部で求めた相関を表示する表示制御部と、を備えている。
【発明の効果】
【０００９】
本発明によれば、複数の農業マップデータを活用して農業支援を簡単に行うことができる。例えば、複数の農業マップデータの中から、任意の複数の農業マップデータを選び出して、選び出した任意の複数の農業マップデータの相関が高いか低いかを把握することができる。
【図面の簡単な説明】
【００１０】
【図１】農業支援システムの概略図である。
【図２】農業支援システムのブロック図である。
【図３】トラクタ、コンバイン、田植機、マルチコプター等の機械で検出したデータの一覧を示す図である。
【図４】農業マップデータを示す図である。
【図５】管理情報、基本情報、データとの関係を示す図である。
【図６】支援画面Ｍ１の一例を示す図である。
【図７Ａ】管理情報と全体の相関係数ＣＴとの関係を示す図である。
【図７Ｂ】基本情報と全体の相関係数ＣＴとの関係を示す図である。
【図８】支援画面Ｍ２の一例を示す図である。
【図９】選択マップＦ２と、相関係数ＣＴとを表示する画面の一例を示している。
【図１０】複数の農業マップデータの取得から相関マップの表示までの流れを示す図である。
【発明を実施するための形態】
【００１１】
以下、本発明の実施の形態を図面に基づいて説明する。
農業支援システムは、農業を支援するシステムであって、例えば、農業に関する様々なデータの表示等の支援を行う。
図１、２に示すように、農業支援システムは、農業支援装置１を備えている。農業支援装置１は、例えば、農家、営農会社、農業機械メーカ、農業のサービス等に設置された固定型のコンピュータ、管理者、作業者等が持ち運ぶことができる携帯型のコンピュータである。この実施形態では、農業支援装置１は、固定型のコンピュータであって、例えば、サーバである。
【００１２】
農業支援装置１は、様々なデータ（情報）を取得可能であり、例えば、データとして農業マップデータを取得する。農業マップデータとは、農業に関するデータと位置とが関連付けられたデータのことである。農業に関するデータとは、作物データ、土壌データ、気象データ（環境データ）、機械データ、作業データ等である。
作物データは、穀物（穀類）、野菜、果実、豆類、いも類等の作物に関するデータであって、作物の収量を示すデータ（収量データ）、作物の化学成分を示すデータ（成分データ）、作物の生育を示すデータ（生育データ）等である。土壌データは、作物を栽培する圃場等の場所の土壌に関するデータであって、土壌の化学成分を示すデータ（土壌成分データ）、土壌の硬度を示すデータ（土壌硬度データ）等である。
【００１３】
気象データは、風向、風速、気温、湿度、晴れ、曇り、雨、雷、雪、降雨量、降雪量、降水確率、気圧等のデータである。機械データは、農業を行う機械に関する様々なデータであって、例えば、トラクタ等の農業車両、田植機、移植機、コンバイン等の収穫機、施肥機、薬剤散布機、成形機、草刈機、調製機、耕耘機等における操縦、走行等の稼働データである。
【００１４】
作業データとは、農業を行う機械で圃場に対して行った作業に関するデータであって、移植量、施肥量、薬剤散布量、播種量等である。
即ち、農業マップデータは、作物データ（収量データ、成分データ、生育データ）、土壌データ（土壌成分データ）、気象データ（風向、風速、気温、湿度、晴れ、曇り、雨、雷、雪、降雨量、降雪量、降水確率、気圧等）、機械データ（農業車両、田植機、移植機、コンバイン等の収穫機、施肥機、薬剤散布機、播種機、成形機、集草機、拡散機、草刈機、調製機等の稼働データ）、作業データ（移植量、施肥量、薬剤散布量、播種量）のいずれかの農業に関するデータと、位置とが関連付けられたデータである。このような農業マップデータは、様々な機械によって検出することができる。
【００１５】
次に、トラクタ、コンバイン、田植機、マルチコプターの機械を例にとり、農業マップデータの取得について説明する。
図１に示すように、トラクタ１０は、車体１１と、原動機１２と、変速装置１３とを備えている。車体１１は、車輪型又はクローラ型の走行装置を支持している。車体１１は、走行装置によって走行することが可能である。原動機１２は、ディーゼルエンジン、ガソリンエンジン等の内燃機関、電動モータ等である。変速装置１３は、走行装置の変速ができると共に、車体１１の前進、後進の切り替えを行うことができる。車体１１には、運転席１４が設けられ、運転席１４には操縦装置１５が設けられている。車体１１の後部には、３点リンク機構等で構成された連結部１６が設けられている。連結部１６には、インプルメント（アタッチメント）１７が着脱可能である。インプルメント１７を連結部１６に連結することによって、車体１１によってインプルメント１７を牽引することができる。インプルメント１７は、耕耘する耕耘機、肥料を散布する施肥機、薬剤を散布する薬剤散布機、種を撒く播種機、収穫を行う収穫機等である。
【００１６】
図２に示すように、車体１１には、位置検出装置７０Ａが設けられている。位置検出装置７０Ａは、ＧＰＳ、みちびき等の測位衛星のデータ（測位衛星システム）に基づいて自己の位置（緯度、経度）を検出する装置である。なお、位置検出装置７０Ａは、加速度を検出する加速度センサ、角速度を検出するジャイロセンサ等の慣性装置を有していてもよく、慣性装置で検出された加速度、角速度を用いて位置を補正してもよいし、その他の補正信号等によって位置を補正してもよく限定されない。
【００１７】
トラクタ１０は、制御装置１９と、記憶部２０Ａとを備えている。制御装置１９は、運転席１４の周りに設置された操作具（操作レバー、操作スイッチ、操作ボリューム等）を操作したときの操作信号、車体１１に搭載された様々なセンサの検出信号等に基づいてトラクタ１の走行系や作業系の制御を行う。例えば、制御装置１９は、連結部１６を操作具の操作信号に基づいて昇降する制御を行ったり、アクセルペダルセンサに基づいてディーゼルエンジンの回転数を制御する。なお、制御装置１９は、トラクタ１の作業系や走行系を制御するものであればよく、制御方式は限定されない。
【００１８】
また、トラクタ１０は、記憶部２０Ａは、不揮発性のメモリ等であり、様々な情報を記憶する。記憶部２０Ａは、制御装置１９、インプルメント１７等に接続されていて、トラクタ１０によって作業を行った際の機械データ、作業データ、収量データを記憶する。
図３に示すように、記憶部２０Ａは、トラクタ１０に装着したインプルメント１７が、耕耘機の場合は耕耘爪の回転数、施肥機の場合は肥料を撒くディスク等の回転数、薬剤散布機の場合は薬剤を吐出するポンプの吐出量、吐出圧、播種機の場合は種を繰り出すローラ等の繰出部の回転数、収穫機及び草刈機の場合は切刃等の刈取部の回転数等を機械データとして記憶する。また、記憶部２０Ａは、トラクタ１０のＰＴＯ回転数、車速、燃費（燃料消費量）、操作具の操作量、耕深（深さ）、変速装置１３の変速段、原動機１２の回転数等の稼働データを機械データとして記憶する。また、インプルメント１７が施肥機の場合は施肥量、薬剤散布機の場合は薬剤散布量、播種機の場合は播種量を作業データとして記憶する。記憶部２０Ａは、インプルメント１７が収穫機である場合、収穫機で収穫した収穫量（収量データ）を記憶する。
【００１９】
また、記憶部２０Ａは、機械データ（耕耘爪の回転数、ディスクの回転数、ポンプの吐出量、吐出圧、繰出部の回転数、刈取部の回転数、ＰＴＯ回転数、車速、操作具の操作量、変速段、原動機の回転数等）、作業データ（施肥量、薬剤散布量、播種量）、作物データ（収穫量）を記憶する際には、位置検出装置７０Ａで検出された位置（検出位置）を対応付けて記憶する。なお、記憶部２０Ａは、位置検出装置７０Ａで検出された位置（検出位置）を補正した位置（補正位置）と、機械データ、作業データ、作物データのそれぞれに対応付けて記憶してもよい。
【００２０】
したがって、トラクタ１０によって作業を行うことにより、トラクタ、収穫機、施肥機、薬剤散布機、播種機のそれぞれの稼働データと位置とを対応付けた複数の農業マップデータを取得することができる。また、トラクタ１０によって作業を行うことにより、施肥量、薬剤散布量、播種量のそれぞれと位置とを対応付けた複数の農業マップデータを取得することができる。さらに、トラクタ１０によって作業を行うことにより、収穫量と位置とを対応付けて農業マップデータとして取得することができる。
【００２１】
図１、図２に示すように、コンバイン３０は、車体３１と、原動機３２と、グレンタンク３３と、刈取装置３４と、脱穀装置（図示省略）と、制御装置３５、測定装置３６とを備えている。原動機３２、グレンタンク３３及び脱穀装置は車体３１に設けられている。刈取装置３４は、車体３１の前部に設けられている。刈取装置３４は、穀物を刈り取る装置である。脱穀装置は、刈り取った穀物を脱穀する装置である。グレンタンク３３は、脱穀された穀物を貯留するタンクである。制御装置３５は、原動機３２を制御したり、脱穀装置を制御したり、刈取装置３４を制御する。なお、コンバイン３０にも、トラクタ１０同様に操作具（操作レバー、操作スイッチ、操作ボリューム等）が設けられている。
【００２２】
測定装置３６は、収穫した作物の重量（収量）を検出するロードセル、収穫した作物の水分量、タンパク量を測定する分光分析装置である。したがって、測定装置３６は、作物の収穫量、作物の水分量（水分含有率）、タンパク量（タンパク含有率）を検出することができる。
また、車体３１には、位置検出装置７０Ｂが設けられている。位置検出装置７０Ｂは、位置（緯度、経度）を検出する装置であり、位置検出装置７０Ａと同様の構成であるため説明を省略する。
【００２３】
コンバイン３０は、記憶部２０Ｂを備えている。図３に示すように、記憶部２０Ｂは、コンバイン３０にて収穫作業を行った場合、作物の収穫量を作物データの収量データとし、作物の水分含有率及びタンパク含有率を作物データの成分データとして記憶する。記憶部２０Ｂは、作物データ（収穫量、水分含有率、タンパク含有率）を位置検出装置７０Ｂで検出された位置（検出位置）を対応付けて記憶する。なお、記憶部２０Ｂは、位置検出装置７０Ｂで検出された位置（検出位置）を補正した位置（補正位置）と、作物データとに対応付けて記憶してもよい。
【００２４】
したがって、コンバイン３０によって作業を行うことにより、収量データ、成分データのそれぞれと位置とを対応付けた複数の農業マップデータを取得することができる。なお、コンバイン３０においても、トラクタ１０と同様に、車速、操作具の操作量、原動機３２の回転数等の稼働データを機械データとして取得して、機械データと位置とを対応付けて記憶部２０Ｂに記憶してもよい。
【００２５】
図１に示すように、田植機４０は、車体４１と、原動機４２と、変速装置４３と、苗植付装置４４とを備えている。原動機４２及び変速装置４３は車体４１に設けられている。植付装置４４は車体４１の後部に設けられている。苗植付装置４４は、車体４１の後部に設けられた苗載せ台４５に搭載された苗を当該苗載せ台４５から取り出して、圃場等に植え付ける。
また、車体４１の後部側には、施肥機、播種機等のインプルメント１７が取付可能である。また、車体４１には、位置検出装置７０Ｃが設けられている。位置検出装置７０Ｃは、位置（緯度、経度）を検出する装置であり、位置検出装置７０Ａと同様の構成であるため説明を省略する。なお、田植機４０にも、トラクタ１０、コンバイン３０と同様に操作具（操作レバー、操作スイッチ、操作ボリューム等）が設けられている。
【００２６】
図２に示すように、田植機４０は、制御装置４６と、記憶部２０Ｃとを備えている。制御装置４６は、原動機４２を制御したり、変速装置４３等を制御する。なお、田植機４０にも、トラクタ１０及びコンバイン３０と同様に操作具（操作レバー、操作スイッチ、操作ボリューム等）が設けられている。
図３に示すように、記憶部２０Ｃは、田植機４０にて田植作業を行った場合、苗植付装置４４で植え付けた移植量を作業データとして記憶する。移植量とは、田植機４０に個別に設定された植付の条数であり、例えば、３条、４条、５条、８条、１０条等の条数である。また、記憶部２０Ｃは、田植機４０にインプリメント１７を装着した場合、施肥量、播種量を作業データとして記憶することができる。
【００２７】
また、記憶部２０Ｃは、作業データ（移植量、施肥量、播種量）を位置検出装置７０Ｃで検出された位置（検出位置）を対応付けて記憶する。なお、記憶部２０Ｃは、位置検出装置７０Ｃで検出された位置（検出位置）を補正した位置（補正位置）と、作業データとに対応付けて記憶してもよい。
したがって、田植機４０によって作業を行うことにより、移植量、施肥量、播種量のそれぞれと、位置とを対応付けた複数の農業マップデータを取得することができる。なお、田植機４０においても、トラクタ１０、コンバイン３０と同様に、車速、操作具の操作量、原動機３２の回転数等の稼働データを機械データとして取得して、機械データと位置とを対応付けて記憶部２０Ｃに記憶してもよい。
【００２８】
図１に示すように、マルチコプター５０は、機体５０ａと、機体５０ａに設けられたアーム５０ｂと、アーム５０ｂに設けられた回転翼５０ｃと、機体５０ａに設けられたスキッド５０ｄとを有している。回転翼５０ｃは、飛行するための揚力を発生させる装置で、回転力を付与するロータとロータの駆動によって回転するブレード（プロペラ）とを含んでいる。
【００２９】
また、マルチコプター５０は、撮像装置５０ｅを有している。撮像装置５０ｅは、赤外線カメラ等で構成され、圃場の作物を撮像可能な装置である。
また、マルチコプター５０は、位置検出装置７０Ｄを有している。位置検出装置７０Ｄは、位置（緯度、経度）を検出する装置であり、位置検出装置７０Ａと同様の構成であるため説明を省略する。
【００３０】
マルチコプター５０は、圃場上を飛行して、圃場上の作物を空撮し、撮像装置５０ｅで撮像した画像（撮像画像）に、位置検出装置７０Ｄで検出された位置を対応付けて撮像データとする。撮像データは、マルチコプター５０に設けられた記憶部２０Ｄに記憶される。撮像データは、解析することで、ＤＶＩ、ＲＶＩ、ＮＤＶＩ、ＧＮＤＶＩ、ＳＡＶＩ、ＴＳＡＶＩ、ＣＡＩ、ＭＴＣＩ、ＲＥＰ、ＰＲＩ、ＲＳＩ等の植生指標などにより生育データに変換されるデータである。また、記憶部２０Ｄは、回転翼５０ｃの回転数、飛行高度等の稼働データを機械データとして記憶することができる。
【００３１】
したがって、マルチコプター５０を圃場の上空に飛行させることによって、作物の生育を示すデータ（生育データ）の元となる撮像データを取得することができる。即ち、マルチコプター５０によっても生育データと位置とを対応付けた農業マップデータを取得することができる。また、回転翼５０ｃの回転数、飛行高度の稼働データ（機械データ）と、位置とを対応付けた複数の農業マップデータを取得することができる。
【００３２】
なお、作物を作付けする前等に、マルチコプター５０を圃場の上空に飛行させて撮像画像を取得しておき、取得した撮像画像を解析することによって、圃場の土壌データにおける土壌成分データを取得するようにしてもよい。この場合は、マルチコプター５０によって土壌データと位置とを対応付けた農業マップデータを取得することができる。また、マルチコプター５０に薬剤散布機等を装着した場合は、作業データとして薬剤散布量を取得することができる。
【００３３】
以上、トラクタ、コンバイン、田植機等の農業機械、マルチコプター等の飛行体によって、図４に示すように、様々なデータ（様々な農業マップデータ）を取得することができる。また、農業マップデータには、作物データ、土壌データ、機械データ、作業データと位置（緯度、経度）の他に、月、日、時刻等の時間情報が含まれている。時間情報は、例えば、位置検出装置７０Ａ、７０Ｂ、７０Ｃ、７０Ｄが位置を検出した時間、トラクタ１０、コンバイン３０、田植機４０、マルチコプター５０等の機械が、作物データ、機械データ、作業データ、土壌データを検出した時間等である。
【００３４】
また、農業マップデータには、作物データ、土壌データ、機械データ、作業データ、位置、時間情報の他に、種別が含まれている。種別とは、何のデータであるか、或いは、何のマップであるかを把握するための情報である。データ毎又はマップ毎に種別が割り当てられる。例えば、トラクタ１０、コンバイン３０、田植機４０、マルチコプター５０等が農業支援装置１に農業マップデータを送信するとき、トラクタ１０、コンバイン３０、田植機４０、マルチコプター５０等がデータを検出したとき、データを記憶部２０Ａ、２０Ｂ、２０Ｃ、２０Ｄに記憶するとき等に、データの種別又はマップの種別が、作業者又は管理者等の手動における入力作業によって割り当てられる。なお、農業支援装置１がデータを取得した後に、データの種別又はマップの種別を、作業者又は管理者等の手動における入力作業によって割り当てても良い。なお、データの種別又はマップの種別は、自動で割り当ててもよい。データの種別のことを「データ種別」、マップの種別のことを「マップ種別」という。上述した機械は一例であり、トラクタ、コンバイン、田植機、マルチコプター以外の機械から、農業マップデータを得るようにしてもよく限定されない。
【００３５】
図２に示すように、農業支援装置１は、データ取得部２を備えている。データ取得部２は、農業支援装置１に設けられた電気・電子部品、当該農業支援装置１に格納されたプログラム等から構成されている。データ取得部２は、複数の農業マップデータを取得する。例えば、トラクタ１０、コンバイン３０、田植機４０、マルチコプター５０から直接通信又は間接通信により複数の農業マップデータを取得する。
【００３６】
トラクタ１０、コンバイン３０、田植機４０、マルチコプター５０には、それぞれ通信装置６０Ａ、６０Ｂ、６０Ｃ、６０Ｄが設けられている。通信装置６０Ａ、６０Ｂ、６０Ｃ、６０Ｄは、農業支援装置１に直接通信及び間接通信のいずれかを行う通信モジュールであって、例えば、通信規格であるＩＥＥＥ８０２．１１シリーズのＷｉ-Ｆｉ（Wireless Fidelity、登録商標）、ＢＬＥ（Bluetooth(登録商標) Low Energy）、ＬＰＷＡ(Low Power, Wide Area)、ＬＰＷＡＮ(Low-Power Wide-Area Network)等により無線通信を行うことができる。また、通信装置６０Ａ、６０Ｂ、６０Ｃ、６０Ｄは、例えば、携帯電話通信網又はデータ通信網などにより無線通信を行うことができる。
【００３７】
直接通信の場合、データ取得部２は、定期的又は不定期に、通信装置６０Ａ、６０Ｂ、６０Ｃ、６０Ｄに対して、農業マップデータの送信を要求する。通信装置６０Ａ、６０Ｂ、６０Ｃ、６０Ｄが農業マップデータの送信の要求を受信すると、トラクタ１０、コンバイン３０、田植機４０、マルチコプター５０は、要求に応じて、記憶部２０Ａ、２０Ｂ、２０Ｃ、２０Ｄに記憶された農業マップデータを通信装置６０Ａ、６０Ｂ、６０Ｃ、６０Ｄに介して農業支援装置１に送信する。農業支援装置１がトラクタ１０、コンバイン３０、田植機４０、マルチコプター５０から送信された農業マップデータを受信すると、データ取得部２は、農業マップデータを受け付ける。或いは、直接通信の場合、トラクタ１０、コンバイン３０、田植機４０、マルチコプター５０のそれぞれに設けた通信装置６０Ａ、６０Ｂ、６０Ｃ、６０Ｄから農業支援装置１に対して、記憶部２０Ａ、２０Ｂ、２０Ｃ、２０Ｄの農業マップデータを送信する。農業支援装置１がトラクタ１０、コンバイン３０、田植機４０、マルチコプター５０から送信された農業マップデータを受信すると、データ取得部２は、農業マップデータを取得する。
【００３８】
なお、直接通信の場合において、農業支援装置１が生育データの元となる撮像データを受信した場合は、当該農業支援装置１は、撮像データを生育データに変換した後、生育データをデータ取得部２に受け渡すことで、データ取得部２は、生育データに対応する農業マップデータを取得することができる。
一方、間接通信の場合、通信装置６０Ａ、６０Ｂ、６０Ｃ、６０Ｄは、定期的又は不定期に、記憶部２０Ａ、２０Ｂ、２０Ｃ、２０Ｄに記憶した農業マップデータを携帯端末６１に送信する。携帯端末６１は、スマートフォン、タブレット、ＰＤＡ等であって、農業マップデータを受信すると一時的に受信した農業マップデータを記憶（保存）する。データ取得部２は、定期的又は不定期に、携帯端末６１に対して、農業マップデータの送信を要求する。携帯端末６１が農業マップデータの送信の要求を受信すると、当該携帯端末６１は一時的に保存していた農業マップデータを農業支援装置１に送信する。農業支援装置１が携帯端末６１から送信された農業マップデータを受信すると、データ取得部２は、農業マップデータを受け付ける。或いは、間接通信の場合、携帯端末６１から農業支援装置１に対して、農業マップデータを送信する。農業支援装置１が携帯端末６１から送信された農業マップデータを受信すると、データ取得部２は、農業マップデータを取得する。
【００３９】
なお、間接通信の場合において、携帯端末６１が生育データの元となる撮像データを受信した場合は、当該携帯端末６１が撮像データを生育データに変換してもよい。或いは、直接通信と同様に、農業支援装置１が撮像データを受信した後に当該農業支援装置１が撮像データを生育データに変換してもよい。
さて、データ取得部２は、外部のネットワーク（ＷＡＮ等）を介して、気象庁のサーバ等に接続し、当該気象庁が提供する気象データに位置が付与された農業マップデータを取得する。データ取得部２は、気象情報を提供する気象情報提供会社等のサーバにアクセスすることによって、気象データに位置が付与された農業マップデータを取得してもよいし、その他の情報提供会社が提供する気象情報を取得してもよく、気象情報の取得の方法は限定されない。
【００４０】
したがって、農業支援装置１は、通信装置６０Ａ、６０Ｂ、６０Ｃ、６０Ｄから送信された農業マップデータ、及び気象庁等から送信された農業マップデータを取得することができる。
上述した実施形態では、トラクタ１０、コンバイン３０、田植機４０、マルチコプター５０のそれぞれに通信装置６０Ａ、６０Ｂ、６０Ｃ、６０Ｄが設けられている場合に、データ取得部２によって農業マップデータを取得することについて説明したが、通信装置以外でも農業マップデータの取得が可能である。
【００４１】
図２に示すように、トラクタ１０、コンバイン３０、田植機４０、マルチコプター５０のそれぞれには、ＵＳＢメモリ、ＳＤカード等の電子記憶媒体である記憶媒体が接続可能な入出力装置６３を備えている。入出力装置６３は、トラクタ１０、コンバイン３０、田植機４０、マルチコプター５０の制御装置、表示装置等に設けられていて、データを記憶媒体に書き込んだり、記憶媒体の情報を取得することが可能である。記憶媒体に入出力装置６３を接続すると、記憶部２０Ａ、２０Ｂ、２０Ｃ、２０Ｄに記憶した農業マップデータが記憶媒体に転送される。記憶媒体は、携帯端末６１、又は、パーソナルコンピュータ等の固定端末６４に接続可能である。記憶媒体を、携帯端末６１又は固定端末６４に接続すると、当該記憶媒体が記憶している農業マップデータが携帯端末６１又は固定端末６４に転送される。携帯端末６１又は固定端末６４から農業支援装置１に対して、農業マップデータを送信する。農業支援装置１が携帯端末６１又は固定端末６４から送信された農業マップデータを受信すると、データ取得部２は、農業マップデータを受け付ける。
【００４２】
したがって、農業マップデータが記憶媒体を介して携帯端末６１又は固定端末６４に転送された後、農業支援装置１は、携帯端末６１又は固定端末６４から送信された農業マップデータを受信することによって、当該農業マップデータを取得することができる。
なお、記憶媒体を用いた場合において、携帯端末６１又は固定端末６４が撮像データを受信した場合は、当該携帯端末６１又は固定端末６４が撮像データを生育データに変換してもよい。或いは、直接通信と同様に、農業支援装置１が撮像データを受信した後に当該農業支援装置１が撮像データを生育データに変換してもよい。
【００４３】
図２に示すように、農業支援装置１は、記憶部３を備えている。記憶部３は、農業マップデータを記憶するマップデータ記憶部３Ａと、相関に関する情報を記憶する相関記憶部３Ｂとを含んでいる。マップデータ記憶部３Ａ及び相関記憶部３Ｂは、不揮発性のメモリ等で構成されている。
マップデータ記憶部３Ａは、データ取得部２が農業マップデータを取得した場合、取得した農業マップデータを記憶する。図５に示すように、マップデータ記憶部３Ａに農業マップデータを記憶する場合、農業マップデータに文字、英数字等で示された管理情報が割り当てられ、管理情報と共に農業マップデータが記憶される。管理情報とは、農業マップデータの演算、検索、整理等を行い易くするために設定された情報である。例えば、管理情報は、データ項目（作物データ、土壌データ、気象データ、機械データ、作業データ）、データ種別又はマップ種別を示す情報が割り当てられている。例えば、管理情報のうち、上位３桁の文字等がデータ項目を示し、データ項目に続く５桁の文字等がデータ種別又はマップ種別を示し、データ種別又はマップ種別に続く１０桁の文字が農業マップデータを得る毎に割り当てられる。例えば、生育マップで１０番目に取得したデータである場合、管理情報は、「００１−００４−００００００００１０」となる。
【００４４】
農業支援装置１は、表示制御部４と、データ選択部５と、相関演算部６とを備えている。
表示制御部４、データ選択部５及び相関演算部６は、農業支援装置１に設けられた電気・電子部品、当該農業支援装置１に格納されたプログラム等から構成されている。
表示制御部４は、農業支援装置１に接続された携帯端末６１及び固定端末６４のいずれかの表示部６５、６６の表示を制御する。表示部６５、６６は、液晶モニタ、液晶パネル等により構成され、様々な表示を行うことができる。例えば、表示部６５、６６は、複数の農業マップデータを可視化した複数の農業マップを表示する。
【００４５】
データ選択部５は、複数の農業マップデータのうち、複数の任意の農業マップデータの選択を受け付ける。相関演算部６は、データ選択部５で受け付けた複数の任意の農業マップデータの相関を演算する。つまり、農業支援装置１のデータ選択部５及び相関演算部６によって、複数の農業マップデータの中から、少なくとも２つ以上の任意に選択した農業マップデータに対して、互いの相関を求めることが可能である。
【００４６】
次に、表示制御部４、データ選択部５及び相関演算部６の構成について詳しく説明する。
例えば、固定端末６４が農業支援装置１にログインすると、表示制御部４等の制御によって固定端末６４の表示部６５にメニュー等を選択するメニュー画面が表示される。以下、固定端末６４を例にとり説明を行うが当然に、携帯端末６１に適用可能である。
【００４７】
メニュー画面において、ボタン等が選択されて所定の操作が行われると、固定端末６４は、農業支援装置１に対して、マップ支援の要求を行う。図６に示すように、農業支援装置１の表示制御部４は、固定端末６４の要求に応じて、当該固定端末６４の表示部６５に支援画面Ｍ１を表示する。
支援画面Ｍ１は、第１マップ表示部８１と、第２マップ表示部８２とを含んでいる。第１マップ表示部８１は、マップデータ記憶部３Ａに記憶した農業マップデータを可視化した農業マップＦ１を表示する。例えば、表示制御部４は、マップデータ記憶部３Ａを参照し、当該マップデータ記憶部３Ａに記憶されている農業マップデータを農業マップＦ１に変換して、変換した農業マップＦ１を第１マップ表示部８１に表示する。例えば、表示制御部４は、農業マップデータにおける数値等のデータ及び位置（緯度、経度）を参照する。一方、表示制御部４は、第１マップ表示部８１におけるフィールドを複数のエリアＱｎ（ｎ＝１，２，３・・・ｎ）に区分し、農業マップデータにおいて、区分されたエリアＱｎのそれぞれに入る複数のデータＧｎ［ｉ］（ｎ：区分、Ｇｎ［ｉ］：データ、i：データ数）を平均した平均値を代表値Ｄｎ（ｎ＝１，２，３・・・ｎ）に設定する。或いは、表示制御部４は、農業マップデータにおいて、区分されたエリアＱｎのそれぞれに入る複数のデータＧｎ［ｉ］を積算した積算値を代表値Ｄｎに設定する。或いは、表示制御部４は、平均値及び積算値をエリアＱｎの面積で割った面積辺りの数値を代表値Ｄｎに設定する。
【００４８】
表示制御部４は、代表値Ｄｎを求めた後、当該代表値Ｄｎの大きさ（値）に応じて、複数のグループ（複数のランク）が割り当て、ランク毎に色等を変化させることによって、農業マップＦ１を表示する。即ち、第１マップ表示部８１は、圃場等を示したフィールドを複数に分割して、エリアＱｎに農業マップデータのデータを割り当てたメッシュ型の農業マップを表示する。また、上述した実施形態では、農業マップＦ１をメッシュ型のマップで可視化することを例示したが、農業マップＦ１の可視化したマップは、上述した例に限定されない。
【００４９】
マップデータ記憶部３Ａに複数の農業マップデータが記憶されている場合、第１マップ表示部８１には、複数の農業マップＦ１が縦又は横に並べられて表示される。第１マップ表示部８１に農業マップＦ１を表示する場合、表示制御部４は、農業マップＦ１の周辺に、農業マップＦ１のマップ種別、データ種別、農業マップＦ１の元となった農業マップデータの取得日等のマップ基本情報を表示する。なお、農業マップＦ１の基本情報（マップ種別、データ種別、取得日等）は、携帯端末６１及び固定端末６４のいずれかを農業支援装置１に接続して、基本情報を入力することによって、農業マップデータ（管理情報）毎に基本情報が関連付けられる。なお、基本情報は自動的に生成されて管理情報に対応付けられ、マップデータ記憶部３Ａに記憶されてもよく、入力方法及び関連付けの方法等について限定はされない。
【００５０】
以下、説明の便宜上、第１マップ表示部８１に表示した農業マップＦ１のことを、第１マップＦ１という。
第１マップ表示部８１に表示した第１マップＦ１は、ポインタ８４によって選択可能である。なお、表示部６５がタッチパネルである場合、操作者等の選択動作によって第１マップ表示部８１に表示した第１マップＦ１を選択できるようにしてもよい。
【００５１】
第１マップ表示部８１に複数の第１マップＦ１が表示されている状態にて、ポインタ８４又は選択動作によって、任意の第１マップＦ１が選択されると、データ選択部５は、選択された任意の第１マップＦ１の管理情報を保持する。第１マップ表示部８１に表示された複数の第１マップＦ１のうち、２以上の複数の第１マップＦ１が選択され、支援画面Ｍ１に表示された完了ボタン８５が選択されると、データ選択部５は、保持した複数の管理情報を相関演算部６に出力（通知）する。以下、複数の第１マップＦ１のうち、データ選択部５によって受け付けられた管理情報に対応する第１マップＦ１、即ち、データ選択部５によって選択された第１マップＦ１のことを「選択マップ」という。選択マップに対応する農業マップデータのことを「選択データ」という。
【００５２】
相関演算部６は、マップデータ記憶部３Ａを参照し、複数の農業マップデータの中から複数の選択データを抽出する。ここで、選択マップの数（選択データの選択数）、即ち、データ選択部５で保持された管理情報の数を「ｐ」とした場合、相関演算部６は、複数の選択データのそれぞれに対応するデータＧｎ［ｉ］ｐ（ｎ：区分、ｉ：データ数、Ｇｎ［ｉ］：データ、i：データ数、ｐ＝１，２・・選択数）の相関係数を求める。例えば、選択マップの数が２つで、選択マップとして、１回目（ｐ＝１）に生育マップを選択し、２回目（ｐ＝２）に播種マップを選択した場合、相関演算部６は、生育マップの元となる生育データＧｎ［ｉ］１と、播種マップの元となる播種データＧｎ［ｉ］２との相関係数を求める。
【００５３】
具体的には、相関演算部６は、生育データＧｎ［ｉ］１と、播種データＧｎ［ｉ］２とを用いて、エリアＱｎ毎の相関係数Ｃｎ（ｎ＝１，２，３・・・ｎ）を求める。例えば、エリアＱ１（ｎ＝１）におけるデータ数が３（ｉ＝３）である場合、生育データＧ１［１]１、Ｇ１［２]１、Ｇ１［２]１の全てのデータと、播種データＧ１［１]２、Ｇ１［２]２、Ｇ１［２]２の全てのデータとの相関係数を、エリアＱ１の相関係数Ｃ１とする。
【００５４】
そして、相関演算部６は、エリアＱｎ毎の相関係数Ｃｎ（ｎ＝１，２，３・・・ｎ）を求めた後、求めた相関係数Ｃｎを当該相関係数Ｃｎの大きさ（値）に応じて、複数のグループ（複数のランク）が割り当てることで、相関マップＦ２を作成する。
第２マップ表示部８２は、相関演算部６で演算した相関を可視化した相関マップＦ２を表示する。即ち、第２マップ表示部８２は、相関演算部６が割り当てたエリアＱｎ毎のランク毎に、色等を変化させた相関マップＦ２を表示する。つまり、第２マップ表示部８２には、圃場等を示したフィールドを複数に分割して、エリアＱｎに相関係数Ｃｎを割り当てたメッシュ型の相関マップＦ２を表示する。上述した実施形態では、相関マップＦ２をメッシュ型のマップで可視化することを例示したが、相関マップＦ２は、上述した例に限定されない。
【００５５】
また、第２マップ表示部８２は、相関マップＦ２と共に、相関係数Ｃｎを演算するのに用いた複数の選択マップに対応するマップ基本情報を表示する。例えば、上述したように、選択マップが生育マップ及び播種マップとである場合、生育マップ及び播種マップのそれぞれのマップ種別、データ種別、取得日等を表示する。
図６に示すように、支援画面Ｍ１は、設定部８３を表示してもよい。設定部８３は、支援画面Ｍ１に関する様々な設定を行う部分である。設定部８３では、例えば、第１マップ表示部８１に表示する農業マップＦ１の絞り込み情報を入力可能である。絞り込み情報とは、取得日、取得日の範囲、種別等である。絞り込み情報の入力を行った場合は、第１マップ表示部８１には、複数の農業マップＦ１のうち、絞り込み情報に対応する農業マップＦ１のみを表示することができる。
【００５６】
また、設定部８３には、第１マップ表示部８１及び第２マップ表示部８２で表示する農業マップＦ１、相関マップＦ２におけるエリアＱｎの1辺の長さ（縦の長さ、横の長さ）を設定したり、複数のランク（レベル）の代表値Ｄｎの閾値（範囲）を設定可能である。設定部８３によって、エリアＱｎのメッシュの長さ、ランクの範囲を変更することができる。
【００５７】
図１０は、農業マップデータの取得から相関マップ等の表示までの流れを示した図である。
農業支援装置１のデータ取得部２は、定期的又は不定期に機械等から送信された農業マップデータを取得する（Ｓ１）。農業マップデータの取得後は、取得した農業マップデータは、管理情報及び基本情報と共にマップデータ記憶部３Ａに記憶される（Ｓ２）。農業従事者が携帯端末６１又は固定端末６４を用いて農業支援装置１に接続すると（Ｓ３）、携帯端末６１の表示部６６又は固定端末６４の表示部６５に支援画面Ｍ１を表示する（Ｓ４）。支援画面Ｍ１には複数の農業マップＦ１が表示される（Ｓ５）。複数の任意の農業マップＦ１の選択が終了すると（Ｓ６）、複数の任意の農業マップＦ１における相関係数が演算され（Ｓ７）、相関マップＦ２が表示される（Ｓ８）。上述したように、Ｓ５〜Ｓ８まで繰り返し行うことによって、相関係数の高い傾向にある複数の農業マップＦ１を見つけ出したり、相関マップＦ２で相関性の高い箇所を把握することができる。
【００５８】
以上によれば、農業支援システムは、データ取得部２と、データ取得部２で取得した複数の農業マップデータのうち複数の任意の農業マップデータの選択を受け付けるデータ選択部５と、データ選択部５で受け付けた複数の任意の農業マップデータの相関を演算する相関演算部６と、相関演算部６で求めた相関を表示する表示部（携帯端末６１の表示部６６、固定端末６４の表示部６５）とを備えている。また、農業支援装置１は、データ取得部２、データ選択部５、相関演算部６及び表示制御部４を備えている。
【００５９】
したがって、例えば、農業を行う作業者、管理者等の農業従事者が複数の農業マップデータを集めておき、集めた複数の農業マップデータの中から、任意の複数の農業マップデータを選ぶことによって、選んだ複数の農業マップデータにおいて、互いの相関が高いか低いかを把握することができる。つまり、農業従事者が収量データ、成分データ、生育データ、土壌成分データ、気象データ、機械データ、作業データが数多くあるなかで、様々な組み合わせを選択することによって、それぞれの相関が高いデータを把握することができ、実際の農業に生かすことができる。
【００６０】
携帯端末６１の表示部６６、固定端末６４の表示部６５は、複数の農業マップデータを可視化した複数の農業マップを表示し、データ選択部５は、表示部６５、６６に表示された複数の農業マップの中から、選択された農業マップを受け付ける。これによれば、数多くの農業マップデータの農業マップを見ながら、相関を求めるのに使用する農業マップを簡単に選択することができる。
【００６１】
また、相関演算部６は、相関係数等の相関を可視化した相関マップＦ２を作成し、表示部６５、６６に相関演算部６が作成した相関マップＦ２を表示する。これによれば、相関を求めるのに使用した農業マップと同じように、マップ全体での相関の傾向を把握することができる。
表示部６５、６６は、相関係数Ｃｎを求めるのに用いた複数の農業マップデータ（選択データ）に対応する農業マップ（選択マップ）Ｆ１を第１マップ表示部８１にて表示し、相関係数Ｃｎで示される相関マップＦ２を第２マップ表示部８２にて表示している。即ち、表示部６５、６６は、選択マップＦ１と、相関係数Ｃｎとを対応付けて表示しているため、選択マップＦ１と相関係数Ｃｎとの関係を視覚的に把握することができる。
【００６２】
さて、相関演算部６が相関マップＦ２を作成すると、当該相関演算部６は、相関係数Ｃｎ（相関データ）を農業マップデータとして設定することで、新たな農業マップデータを作成する。図５に示すように、具体的には、相関演算部６は、相関演算部６が相関マップＦ２を作成した際に、相関データに対して、新たな管理情報を作成し、新たな管理情報と、相関データ（エリアＱｎ毎の相関係数Ｃｎ）と、相関マップＦ２の相関を演算するのに用いた複数の選択マップに対応する管理情報とを対応付けてマップデータ記憶部３Ａに記憶する。
【００６３】
上述したように、相関演算部６が生育データ及び播種データに基づいて相関データ、即ち、相関マップＦ２を作成した場合、当該相関演算部６は、相関データに対応する管理情報を「００６−００１−０００００００００２」に設定し、当該管理情報に対して、生育データに対応する管理情報（００１−００４−００００００００１０）と、播種データに対応する管理情報（００３−００３−０００００００００１）とを関連情報として対応付ける。そして、相関演算部６は、相関データである相関係数Ｃｎを、「００６−００１−０００００００００２」で示される管理情報に対応付けて記憶することによって、新たな農業マップデータ、相関データを作成することができる。
なお、図５に示すように、相関演算部６は、新たな農業マップデータに対応するマップ名称、データ種別、取得日をそれぞれ、「相関マップ」、「相関データ」、「相関マップデータを作成した日」に対応させて、対応させた「相関マップ」、「相関データ」、相関マップデータを作成した日」を基本情報に設定することが好ましい。
【００６４】
また、上述した実施形態では、相関を求めるのに使用した農業マップデータに対応する管理情報、例えば、生育データの管理情報、播種データの管理情報を関連情報としてマップデータ記憶部３Ａに記憶しているが、これに代えて、生育データの基本情報、播種データの基本情報とを関連付けてマップデータ記憶部３Ａに記憶してもよい。
以上のように、相関データを新しい農業マップデータとしてマップデータ記憶部３Ａに追加されることから、第１マップ表示部８１には、相関データを可視化した相関マップを農業マップＦ１として表示することができ、データ選択部５によって相関マップを選択することができる。
【００６５】
したがって、新たに作成した相関データも新たな農業マップデータとして加わり、選択ができることから、相関データと、その他のデータ（作物データ、土壌データ、気象データ、機械データ、作業データ）との組み合わせでも相関を調べることができる。
上述した実施形態では、相関演算部６は、２つ以上の選択マップＦ１からエリアＱｎ毎の相関係数Ｃｎを求めていたが、２つ以上の選択マップＦ１に対応するデータの全体の相関係数ＣＴを求めてもよい。また、相関演算部６が求めた全体の相関係数ＣＴを、相関を求めるのに使用した選択マップＦ１の情報とともに相関記憶部３Ｂに記憶してもよい。
【００６６】
例えば、第１マップ表示部８１において、２つ以上の選択マップＦ１を選択後、相関演算部６は、複数の選択データＦ１のそれぞれに対応するデータＧｎ［ｉ］ｐの全てのデータを用いて全体の相関係数ＣＴを求める。例えば、選択マップＦ１として、１回目（ｐ＝１）に生育マップを選択し、２回目（ｐ＝２）に播種マップを選択し、データ数が１０（i＝１０）である場合、相関演算部６は、生育データＧｎ［１］１〜Ｇｎ［１０］１と、播種データＧｎ［１］２〜Ｇｎ［１０］２との全てのデータから全体の相関係数ＣＴを求める（ｎ：１〜ｍａｘ）。相関記憶部３Ｂは、生育データＧｎ［ｉ］１に対応する管理情報（００１−００４−００００００００１０）と、播種データＧｎ［ｉ］２に対応する管理情報（００３−００３−０００００００００１）とを関連付けることで、少なくとも種別（マップ種別、データ種別）と相関演算部６が求めた全体の相関係数ＣＴを記憶する。
【００６７】
図７Ａに示すように、上述した実施形態では、相関記憶部３Ｂは、管理情報を全体の相関係数ＣＴと共に記憶することで、種別（マップ種別、データ種別）と相関演算部６が求めた全体の相関係数ＣＴとを関連付けて記憶しているが、図７Ｂに示すように、基本情報と全体の相関係数ＣＴとを関連付けて記憶することで、種別（マップ種別、データ種別）と相関演算部６が求めた全体の相関係数ＣＴとを関連付けて記憶してもよい。或いは、相関記憶部３Ｂは、直接、種別（マップ種別、データ種別）と全体の相関係数ＣＴとを記憶してもよい。
【００６８】
表示部６５、６６は、相関記憶部３Ｂに記憶された全体の相関係数ＣＴと、相関係数ＣＴに関連付けられた複数の農業マップデータの種別（マップ種別、データ種別）とを表示する。図８は、支援画面Ｍ２を示している。メニュー画面において、ボタン等が選択されて所定の操作が行われると、固定端末６４の表示部６５に支援画面Ｍ２が表示される。
支援画面Ｍ２は、相関性表示部８６を含んでいる。図８に示すように、相関性表示部８６は、相関記憶部３Ｂに記憶した相関係数ＣＴと、種別（マップ種別、データ種別）との一覧を表示する。例えば、表示制御部４は、相関記憶部３Ｂの管理情報を参照し、当該管理情報から種別を含む基本情報を割り出して、割り出した基本情報と相関係数ＣＴとの一覧表を表示する。
【００６９】
これによれば、少なくとも２つ以上の農業マップデータ（選択データ）における相関係数ＣＴと、相関係数ＣＴを演算するのに使用した農業マップデータ（選択データ）の種別とを把握することができる。例えば、原動回転マップと生育マップとの関連性が高いか低いかを把握することができる。
なお、表示部６５、６６は、相関係数を求めるのに使用した複数の農業マップデータ（選択データ）のうち、相関係数ＣＴが閾値以上となった農業マップデータ（選択データ）の種別の組み合わせを表示してもよい。例えば、図８に示すように、支援画面Ｍ２の相関性表示部８６には、相関係数ＣＴの上限値、下限値を入力する入力部が示されている。相関係数ＣＴの上限値、下限値が入力された場合、表示制御部４は、相関記憶部３Ｂを参照し、上限値と下限値との間に入る相関係数ＣＴに対応する管理情報を検索する。管理情報を検索後に、管理情報から種別を含む基本情報を割り出して、割り出した基本情報、即ち、農業マップデータ（選択データ）の種別の組み合わせと、上限値と下限値との間に入る相関係数ＣＴとの一覧表を表示する。これによれば、相関性が高い農業マップ同士を把握したり、相関性が低い農業マップ同士を簡単に把握することができる。
【００７０】
なお、上述した支援画面Ｍ２では、２つ以上の選択データの相関係数ＣＴと、選択データの種別とを表示していたが、これに代えて、図９に示すように、２つ以上の選択データに対応する選択マップＦ２と、相関係数ＣＴとを表示してもよい。
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００７１】
例えば、農業マップデータの農業マップを表示等をする際に、圃場等を示す画像と農業マップとを重ねて表示してもよい。トラクタ１０、コンバイン３０、田植機４０等の農業機械が走行したときの位置検出装置７０Ａ、７０Ｂ、７０Ｃの位置の軌跡を「走行軌跡」とし、走行軌跡を農業マップデータとして扱ってもよい。マルチコプター５０で散布等の作業を行う場合は、当該マルチコプター５０の飛行軌跡も農業マップデータとして扱ってもよい。農業マップデータが軌跡（走行軌跡、飛行軌跡）である場合は、例えば、支援画面Ｍ１で軌跡マップ（走行マップ、飛行マップ）等を表示する一方で、他の農業マップも表示する。例えば、作物データ（収量データ、成分データ、生育データ）、土壌データにおける作物系マップと、軌跡マップとが選択された場合、表示制御部４の制御によって、支援画面に作物系マップ、走行系マップとを重ね合わせて表示することによって、両者の相関性を確認することができる。
【符号の説明】
【００７２】
１    農業支援装置
２  データ取得部
３  記憶部
３Ａ  マップデータ記憶部
３Ｂ  相関記憶部
４  表示制御部
５  データ選択部
６  相関演算部
１０  トラクタ
１１  車体
１２  原動機
１３  変速装置
１４  運転席
１５  操縦装置
１６  連結部
１７  インプルメント
１９  制御装置
２０Ａ  記憶部
２０Ｂ  記憶部
２０Ｃ  記憶部
２０Ｄ  記憶部
３０  コンバイン
３１  車体
３２  原動機
３３  グレンタンク
３４  刈取装置
３５  制御装置
３６  測定装置
４０  田植機
４１  車体
４２  原動機
４３  変速装置
４４  苗植付装置
４５  苗載せ台
４６  制御装置
５０  マルチコプタ
５０ａ  機体
５０ｂ  アーム
５０ｃ  回転翼
５０ｄ  スキッド
５０ｅ  撮像装置
６０Ａ、６０Ｂ、６０Ｃ、６０Ｄ  通信装置
６１  携帯端末
６３  入出力装置
６４  固定端末
６５  表示部
６６  表示部
７０Ａ  位置検出装置
７０Ｂ  位置検出装置
７０Ｃ  位置検出装置
７０Ｄ  位置検出装置
８１  第１マップ表示部
８２  第２マップ表示部
８３  設定部
８４  ポインタ
８５  完了ボタン
８６  相関性表示部
Ｆ１  農業マップ（第１マップ、選択マップ）
Ｆ２  相関マップ
Ｑｎ  エリア
Ｇｎ［ｉ］  データ
Ｄｎ  代表値
Ｆ１  農業マップ（第１マップ、選択マップ）
Ｃｎ  エリア毎の相関係数
【図１】
2019109791.tif 000003
【図２】
2019109791.tif 000004
【図３】
2019109791.tif 000005
【図４】
2019109791.tif 000006
【図５】
2019109791.tif 000007
【図６】
2019109791.tif 000008
【図７Ａ】
2019109791.tif 000009
【図７Ｂ】
2019109791.tif 000010
【図８】
2019109791.tif 000011
【図９】
2019109791.tif 000012
【図１０】
2019109791.tif 000013